【手続補正書】
【提出日】平成15年11月6日(2003.11.6)
【手続補正１】
【補正対象書類名】特許請求の範囲
【補正対象項目名】全文
【補正方法】変更
【補正の内容】
【特許請求の範囲】
【請求項１】
流体空洞内に配置され、ポンプユニットの吸引端まで延びる通路を有するポンプユニットと、
前記通路に結合され、前記通路内の流体圧力を測定するよう動作可能な圧力センサと、
前記ポンプユニットに結合され、前記流体圧力に応じて前記ポンプユニットの流体潤滑を調整するよう動作可能な制御器とを含み、前記調整は、前記流体圧力の低下に応じて前記ポンプユニットの流速を低下させること及び前記流体圧力の上昇に応じて前記ポンプユニットの流速を上昇させることを含む、
流体制御されたポンプシステム。
【請求項２】
前記ポンプユニットはプログレッシブ・キャビティ・ポンプを含む、請求項１記載のシステム。
【請求項３】
前記制御器は前記プログレッシブ・キャビティ・ポンプの回転速度を調整することにより前記ポンプユニットの流体潤滑を調整するよう動作可能である、請求項２記載のシステム。
【請求項４】
前記通路内の前記流体圧力は、前記流体空洞内の流体深さに対応する、請求項１記載のシステム。
【請求項５】
前記ポンプユニットは、
固定子と、
前記固定子の内側に配置され、前記流体空洞内の流体を第１の位置から第２の位置へポンプするために前記固定子に対して回転するよう動作可能な回転子とを含み、
前記通路は前記回転子の内部通路を含む、請求項１記載のシステム。
【請求項６】
前記制御器は、前記流体空洞内の流体の略一定の深さを維持するために前記ポンプユニットの流速を調整することにより前記ポンプユニットの流体潤滑を調整するよう動作可能である、請求項１記載のシステム。
【請求項７】
流体空洞内に配置され、ポンプユニットの吸引端まで延びる通路を有するポンプユニットを与える段階と、
前記ポンプユニットの前記吸引端の近くで前記通路から外向きに流体を押し出す段階と、
前記通路内の流体圧力を測定する段階と、
前記流体圧力に応じて前記ポンプユニットの流体潤滑を自動的に調整する段階とを含み、前記調整は、前記流体圧力の低下に応じて前記ポンプユニットの流速を低下させること及び前記流体圧力の上昇に応じて前記ポンプユニットの流速を上昇させることを含む、
流体制御されたポンプ方法。
【請求項８】
前記ポンプユニットを与える段階は、プログレッシブ・キャビティ・ポンプを与える段階を含む、請求項７記載の方法。
【請求項９】
前記流体潤滑を調整する段階は、前記プログレッシブ・キャビティ・ポンプの回転速度を調整する段階を含む、請求項８記載の方法。
【請求項１０】
前記通路内の前記流体圧力を測定する段階は、前記流体空洞内の流体深さを測定する段階を含む、請求項７記載の方法。
【請求項１１】
前記ポンプユニットを与える段階はプログレッシブ・キャビティ・ポンプを与える段階を含み、前記プログレッシブ・キャビティ・ポンプは固定子と回転子とを有し、前記回転子は前記固定子の内側に配置され、前記回転子は前記流体空洞内の流体を第１の位置から第２の位置へポンプするために前記固定子に対して回転するよう動作可能であり、前記通路は前記回転子の内部通路を含む、請求項７記載の方法。
【請求項１２】
前記流体を押し出す段階は、圧縮空気を前記通路から外向きに押し出す段階を含む、請求項７記載の方法。
【請求項１３】
前記流体を押し出す段階は、圧縮窒素を前記通路から外向きに押し出す段階を含む、請求項７記載の方法。
【請求項１４】
前記流体潤滑を調整する段階は、前記流体空洞内の略一定の流体レベルを維持するために前記ポンプユニットの流速を調整する段階を含む、請求項７記載の方法。
【請求項１５】
前記流体潤滑を調整する段階は、前記流体圧力の上昇に応じて前記プログレッシブ・キャビティ・ポンプの回転速度を上昇させる段階を含む、請求項９記載の方法。
【請求項１６】
前記流体潤滑を調整する段階は、前記流体圧力の低下に応じて前記プログレッシブ・キャビティ・ポンプの回転速度を低下させる段階を含む、請求項９記載の方法。
【請求項１７】
前記調整段階は、前記流体空洞内で流体潤滑なしに前記プログレッシブ・キャビティ・ポンプが回転することを実質的に防止するために前記プログレッシブ・キャビティ・ポンプの回転速度を調整する段階を含む、請求項９記載の方法。
【請求項１８】
第１の位置から第２の位置へ空洞流体を移送するためにポンプユニットの中に空洞流体を引き入れるよう動作可能な吸引端を有するポンプユニットを空洞内に与える段階と、
前記ポンプユニットの前記吸引端の近くの、前記空洞内の前記空洞流体の深さに対応する圧力を測定する段階と、
前記測定された圧力を用いて前記ポンプユニットを介して前記空洞流体の流速を調整することによって前記ポンプユニットの流体潤滑を自動的に調整する段階とを含み、前記流速を調整する段階は更に、
前記圧力を示す圧力センサから第１の信号を受信する段階と、
前記ポンプユニットに結合され前記ポンプユニットの流速を制御するよう動作可能な駆動モータへ第２の信号を送信する段階とを含む、
流体レベル制御されたポンプ方法。
【請求項１９】
前記ポンプユニットを配置する段階は、プログレッシブ・キャビティ・ポンプを配置する段階を含み、前記流速を調整する段階は、前記測定された圧力を用いて前記プログレッシブ・キャビティ・ポンプの回転子の回転速度を調整する段階を含む、請求項１８記載の方法。
【請求項２０】
前記圧力を測定する段階は、
流体の制御された体積を、前記ポンプユニットの前記吸引端に近い出口を有する通路から外向きに押し出す段階と、
前記通路内の前記圧力を測定する段階とを含む、請求項１９記載の方法。
【請求項２１】
前記流体の制御された体積を押し出す段階は、前記流体の制御された体積を前記回転子の内部通路内で下向きに押し出す段階を含む、請求項２０記載の方法。
【請求項２２】
前記ポンプユニットを与える段階はプログレッシブ・キャビティ・ポンプを与える段階を含み、前記第２の信号を送信する段階は、前記プログレッシブ・キャビティ・ポンプの回転子の回転速度を制御するよう前記駆動モータへ前記第２の信号を送信する段階を含む、請求項１８記載の方法。
【請求項２３】
前記通路に結合され、前記ポンプユニットの前記吸引端の近くで前記通路から外向きに流体を押し出すよう動作可能な圧力源を更に含む、請求項１記載のシステム。
【請求項２４】
前記圧力源は、空気圧力源を含む、請求項２３記載のシステム。
【請求項２５】
前記圧力源は、圧縮窒素を含む、請求項２３記載のシステム。
【請求項２６】
前記ポンプユニットは前記ポンプユニットに結合され前記回転子へ回転力を分け与えるよう動作可能なモータを更に含み、前記制御器は前記回転力を調整するために前記モータへ制御信号を送信するよう動作可能である、請求項５記載のシステム。
【請求項２７】
前記制御器は、前記回転子が前記流体空洞内で流体潤滑なしに回転することを実質的に防止するよう前記回転子の回転速度を調整するよう更に動作可能である、請求項５記載のシステム。
【請求項２８】
前記制御器は、前記流体圧力の上昇に応じて前記プログレッシブ・キャビティ・ポンプの回転速度を上昇させることにより前記ポンプユニットの流体潤滑を調整するよう動作可能である、請求項３記載のシステム。
【請求項２９】
前記制御器は、前記流体圧力の低下に応じて前記プログレッシブ・キャビティ・ポンプの回転速度を低下させることにより前記ポンプユニットの流体潤滑を調整するよう動作可能である、請求項３記載のシステム。
【請求項３０】
前記制御器は、前記回転子が前記流体空洞内で流体潤滑なしに回転することを実質的に防止するよう前記回転子の回転速度を調整するよう動作可能である、請求項５記載のシステム。
【請求項３１】
空洞内に配置され、第１の位置から第２の位置へ空洞流体を移送するためにポンプユニットの中に空洞流体を引き入れるよう動作可能な吸引端を有するポンプユニットと、
前記ポンプユニットの前記吸引端の近くの、前記空洞内の前記空洞流体の深さに対応する圧力を測定するよう動作可能な圧力センサと、
前記ポンプユニットに結合され、前記測定された圧力に応じて前記ポンプユニットを介して前記空洞流体の流速を調整することによって前記ポンプユニットの流体潤滑を調整するよう動作可能な制御器とを含み、前記制御器は、
前記圧力を示す圧力センサから第１の信号を受信する段階と、
前記ポンプユニットに結合され前記ポンプユニットの流速を制御するよう動作可能な駆動モータへ第２の信号を送信する、
流体レベル制御されたポンプシステム。
【請求項３２】
前記ポンプユニットはプログレッシブ・キャビティ・ポンプを含み、前記制御器は前記測定された圧力に応じて前記プログレッシブ・キャビティ・ポンプの回転子の回転速度を調整することによって流速を調整する、請求項３１記載のシステム。
【請求項３３】
前記制御器は、流体の制御された体積を前記ポンプユニットの吸引端に近い出口を有する通路から外向きに押し出すように圧力源を制御するよう動作可能であり、前記圧力センサは前記通路内からの圧力を測定するよう動作可能である、請求項３２記載のシステム。
【請求項３４】
前記制御器は、前記流体の制御された体積を前記回転子の内部通路内で下向きに押すように圧力源を制御するよう動作可能である、請求項３３記載のシステム。
【請求項３５】
前記ポンプユニットはプログレッシブ・キャビティ・ポンプを含み、前記制御器は前記プログレッシブ・キャビティ・ポンプの回転子の回転速度を制御するよう前記駆動モータへ前記第２の信号を送信するよう動作可能である、請求項３１記載のシステム。
【請求項３６】
流体空洞内に配置され、前記流体空洞からポンプされるべき流体を受けるよう動作可能な入口を有するポンプユニットと、
前記ポンプユニットに摺動可能に結合され、前記ポンプユニットの出口からポンプされた流体を受ける通路を有するバルブとを有し、
前記流体空洞内の流体レベルの低下に応じて、前記ポンプユニットに対する前記弁の動きは前記ポンプされる流体を前記出口から前記入口へ循環させるよう前記通路を前記ポンプユニットのポートに合わせる、
流体レベル制御されたポンプシステム。
【請求項３７】
前記ポンプユニットはプログレッシブ・キャビティ・ポンプを含む、請求項３６記載のシステム。
【請求項３８】
前記弁は内部室を含み、前記内部室は前記流体空洞内の流体の密度よりも低い密度を有する流体で満たされる、請求項３６記載のシステム。
【請求項３９】
前記弁は浮動弁を含む、請求項３６記載のシステム。
【請求項４０】
前記弁を前記ポンプユニットに対して所定の位置に解除可能に固定するよう動作可能なロックシステムを更に含む、請求項３６記載のシステム。
【請求項４１】
前記ロックシステムは、
前記弁に配置されたロック素子と、
前記ロック素子を受容するよう構成される前記ポンプユニット上に配置された凹部とを含む、請求項４０記載のシステム。
【請求項４２】
前記入口の近くに配置された逆止め弁を更に含み、前記逆止め弁は前記循環された流体を前記入口へ導くよう動作可能である、請求項３６記載のシステム。
【請求項４３】
前記逆止め弁は、前記循環された流体が前記入口を迂回することを実質的に防止するよう更に動作可能である、請求項４２記載のシステム。
【請求項４４】
前記弁の近くに配置される複数の止め部を更に含み、前記止め部は前記弁の動きを前記ポンプユニットに対する所定の位置へ制限するよう動作可能である、請求項３６記載のシステム。
【請求項４５】
前記弁の近くに配置され、前記弁の下向きの動きを前記ポンプユニットに対する第１の所定の位置へ制限するよう動作可能な下方止め部と、
前記弁の近くに配置され、前記弁の上向きの動きを前記ポンプユニットに対する第２の所定の位置へ制限するよう動作可能な上方止め部とを更に含む、請求項３６記載のシステム。
【請求項４６】
前記下方止め部は、前記流体空洞内の流体の減少に応じて前記弁の通路を前記ポンプユニットのポートに合わせるよう位置決めされる、請求項４５記載のシステム。
【請求項４７】
流体空洞内に配置され、前記流体空洞内の流体を第１の位置から第２の位置へポンプする固定子／回転子部分を有し、前記固定子／回転子部分は入口及び出口を有する、プログレッシブ・キャビティ・ポンプと、
前記ポンプに摺動可能に結合される弁とを含み、
前記流体空洞内の流体レベルの低下に応じて、前記ポンプに対する前記弁の動きは前記流体を前記出口から前記入口へ循環させるよう前記弁の通路を前記ポンプユニットのポートに合わせる、
流体レベル制御されたポンプシステム。
【請求項４８】
前記弁は、前記流体空洞内の流体の密度よりも小さい密度を有する流体で満たされる内部室を含む、請求項４７記載のシステム。
【請求項４９】
前記弁は浮動弁を含む、請求項４７記載のシステム。
【請求項５０】
前記弁を前記ポンプに対する所定の位置に解除可能に固定するよう動作可能なロックシステムを更に含む、請求項４７記載のシステム。
【請求項５１】
前記ロックシステムは、
ロック素子と、
前記ロック素子を受容するよう構成され、前記ポンプユニット上に配置された凹部と、
前記ロック素子を前記凹部へ向けて付勢するよう動作可能なバネとを含む、請求項５０記載のシステム。
【請求項５２】
前記入口の近くに配置され、前記循環される流体を前記入口へ導くよう動作可能な逆止め弁を更に含む、請求項４７記載のシステム。
【請求項５３】
前記逆止め弁は、前記循環される流体が前記入口を迂回することを実質的に防止するよう更に動作可能である、請求項５２記載のシステム。
【請求項５４】
前記弁の近くに配置された多数の止め部を更に含み、前記止め部は前記弁の動きを前記ポンプに対する所定の位置へ制限する、請求項４７記載のシステム。
【請求項５５】
前記弁の近くに配置され、前記弁の下向きの動きを前記ポンプに対する第１の所定の位置へ制限するよう動作可能な下方止め部と、
前記弁の近くに配置され、前記弁の上向きの動きを前記ポンプに対する第２の所定の位置へ制限するよう動作可能な上方止め部とを更に含む、請求項４７記載のシステム。
【請求項５６】
前記下方止め部は、前記流体空洞内の流体の減少に応じて、前記弁の通路を前記ポンプのポートに合わせるよう位置決めされる、請求項５５記載のシステム。
【請求項５７】
前記弁から内向きに前記ポンプへ向かって付勢されて配置されるロック素子と、
前記ポンプ上に配置され、前記ロック素子を受容するよう構成される複数の凹部とを更に含み、
前記凹部は前記弁を前記ポンプに対する所定の位置に解除可能に固定するよう前記ポンプ上に位置決めされる、請求項４７記載のシステム。
【請求項５８】
前記凹部のうちの１つは、前記通路を前記ポートに合わせるよう前記弁を前記ポンプに対して解除可能に固定するよう配置される、請求項５７記載のシステム。
【請求項５９】
流体空洞内に配置され、前記流体空洞内の流体を第１の位置から第２の位置へポンプする固定子／回転子部分を有し、前記固定子／回転子部分は入口及び出口を有する、プログレッシブ・キャビティ・ポンプと、
前記ポンプに摺動可能に結合され、前記流体空洞内の流体レベルの変化に応じて前記弁の通路を前記ポンプのポートに合わせるよう動作可能な弁を含み、
前記通路は、前記入口における流体の不足を実質的に防止するために前記流体を前記出口から前記入口へ導くよう動作可能である、流体レベル制御されたポンプシステム。
【請求項６０】
前記入口の近くに配置される逆止め弁を更に含み、前記逆止め弁は前記通路から受け取られた流体が前記入口を迂回することを実質的に防止するよう動作可能である、請求項５９記載のシステム。
【請求項６１】
前記弁は浮動弁を含む、請求項５９記載のシステム。
【請求項６２】
前記流体のレベルの変化は、前記流体のレベルの減少を含む、請求項５９記載のシステム。
【請求項６３】
前記弁は内部室を含み、前記内部室は前記流体空洞内の流体の密度よりも低い密度を有する流体で満たされる、請求項５９記載のシステム。
【請求項６４】
前記弁を前記ポンプに対する所定の位置に解除可能に固定するよう動作可能なロックシステムを更に含む、請求項５９記載のシステム。
【請求項６５】
前記ロックシステムは、
前記弁から内向きに前記ポンプへ向かって付勢されて配置されるロック素子と、
前記ポンプ上に配置され、前記ロック素子を受容するよう構成される複数の凹部とを更に含み、
前記凹部は前記弁を前記ポンプに対する所定の位置に解除可能に固定するよう前記ポンプ上に位置決めされる、請求項６４記載のシステム。
【請求項６６】
前記弁の近くに配置され、前記弁の下向きの動きを前記ポンプユニットに対する第１の所定の位置へ制限するよう動作可能な下方止め部と、
前記弁の近くに配置され、前記弁の上向きの動きを前記ポンプユニットに対する第２の所定の位置へ制限するよう動作可能な上方止め部とを更に含む、請求項５９記載のシステム。
【請求項６７】
前記下方止め部は、前記ポンプに対する前記弁の下向きの動きに応じて、前記弁の通路を前記ポンプユニットのポートに合わせるよう位置決めされる、請求項６６記載のシステム。
【請求項６８】
前記上方止め部は、前記ポンプに対する前記弁の上向きの動きに応じて、前記前記流体が前記通路に入ることを実質的に防止するよう位置決めされる、請求項６６記載のシステム。
【請求項６９】
流体空洞内に配置され、前記流体空洞内の流体をポンプする固定子／回転子部分を有し、前記固定子／回転子部分は入口及び出口を有する、プログレッシブ・キャビティ・ポンプと、
前記ポンプに結合され、前記出口と連通して配置され、前記流体空洞内の流体レベルの低下に応じて前記流体を前記出口から前記入口へ循環させるよう動作可能な弁とを含む、流体レベル制御されたポンプシステム。
【請求項７０】
前記入口の近くに配置された逆止め弁を更に含み、前記逆止め弁は前記循環される流体が前記入口を迂回することを実質的に防止するよう動作可能である、請求項６９記載のシステム。
【請求項７１】
前記弁は浮動弁を含み、前記浮動弁は前記流体レベルの低下に応じて前記出口の近くに配置された前記ポンプのポートを前記弁の通路に合わせるよう動作可能であり、前記通路は前記循環される流体を前記入口へ導くよう動作可能である、請求項６９記載のシステム。
【請求項７２】
前記浮動弁は内部室を含み、前記内部室は前記流体空洞内の流体の密度よりも低い密度を有する流体で満たされる、請求項７１記載のシステム。
【請求項７３】
前記弁は前記ポンプに摺動可能に結合され、前記弁の近くに配置される複数の止め部を更に含み、前記止め部は前記弁の動きを前記ポンプユニットに対する所定の位置へ制限するよう動作可能である、請求項６９記載のシステム。
【請求項７４】
前記複数の止め部は、
前記流体空洞内の前記流体レベルの上昇に応ずる前記弁の上向きの動きを前記ポンプに対する第１の所定の位置へ制限するよう動作可能な上方止め部と、
前記流体空洞内の前記流体レベルの低下に応ずる前記弁の下向きの動きを前記ポンプに対する第２の所定の位置へ制限するよう動作可能な下方止め部とを含む、請求項７３記載のシステム。
【請求項７５】
流体空洞内に配置され、前記流体空洞内に置かれた流体をポンプする固定子／回転子部分を有し、前記固定子／回転子部分は入口及び出口を有する、プログレッシブ・キャビティ・ポンプを与える段階と、
前記ポンプに結合され、前記固定子／回転子部分からの前記流体を受けるよう動作可能な弁を与える段階と、
前記流体空洞内の流体レベルの低下に応じて前記流体を前記弁を介して前記出口から前記入口へ循環させる段階とを含む、
流体レベル制御されたポンプ方法。
【請求項７６】
前記循環させる段階は、前記弁の通路を前記ポンプのポートに合わせる段階を更に含み、前記ポートは前記出口の近くに配置される、請求項７５記載の方法。
【請求項７７】
前記弁を与える段階は、浮動弁を与える段階を含み、前記浮動弁は、前記流体空洞内の前記流体レベルの変化に応じて前記ポンプに対して動くよう動作可能である、請求項７５記載の方法。
【請求項７８】
前記弁の近くに配置された複数の止め部を与える段階を更に含み、前記止め部は前記弁の動きを前記ポンプに対する所定の位置へ制限するよう動作可能である、請求項７７記載の方法。
【請求項７９】
前記複数の止め部を与える段階は、
前記流体空洞内の前記流体レベルの上昇に応ずる前記弁の上向きの動きを前記ポンプに対する第１の所定の位置へ制限するよう動作可能な第１の止め部を与える段階と、
前記流体空洞内の前記流体レベルの低下に応ずる前記弁の下向きの動きを前記ポンプに対する第２の所定の位置へ制限するよう動作可能な第２の止め部を与える段階とを含む、請求項７８記載の方法。
【請求項８０】
前記循環段階は、前記流体空洞内の流体潤滑なしでの前記ポンプの動作を実質的に防止するために前記流体を循環させる段階を含む、請求項７５記載の方法。
【請求項８１】
前記弁を与える段階は、前記ポンプに摺動可能に結合された弁を与える段階を含み、前記弁を前記ポンプに対する所定の位置に解除可能に固定するよう動作可能なロックシステムを提供する段階を更に含む、請求項７５記載の方法。
【請求項８２】
井戸の中に配置され、前記井戸からポンプされるべき流体を受けるよう動作可能な入口を有するポンプユニットと、
前記ポンプユニットに結合され、ポンプされる流体を前記ポンプユニットの出口から受けるよう動作可能な弁とを含み、
前記井戸内の流体レベルの低下に応じて、前記ポンプユニットに対する前記弁の動きは前記ポンプされる流体を前記ポンプユニットの前記出口から前記入口へ循環させる、
流体レベル制御されたポンプシステム。
【請求項８３】
前記ポンプユニットはプログレッシブ・ポンプを含む、請求項８２記載のシステム。
【請求項８４】
前記弁は浮動弁を含む、請求項８２記載のシステム。
【請求項８５】
前記弁を前記ポンプユニットに対する所定の位置に解除可能に固定するよう動作可能なロックシステムを更に含む、請求項８２記載のシステム。
【請求項８６】
前記入口の近くに配置され、前記循環される流体を前記入口へ導くよう動作可能な逆止め弁を更に含む、請求項８２記載のシステム。
【請求項８７】
前記弁の近くに配置され、前記ポンプユニットに対する所定の位置に前記弁の動きを制限するよう動作可能な複数の止め部を更に含む、請求項８２記載のシステム。
【請求項８８】
井戸の中に配置され、前記井戸内の流体を第１の位置から第２の位置へポンプする固定子／回転子部分を有し、前記固定子／回転子部分は入口及び出口を有する、プログレッシブ・ポンプと、
前記ポンプに結合された弁とを含み、
前記井戸内の流体のレベルの変化に応じて、前記ポンプに対する前記弁の動きは前記ポンプされる流体を前記ポンプの前記出口から前記入口へ循環させる、
流体レベル制御されたポンプシステム。
【請求項８９】
前記弁は浮動弁を含む、請求項８８記載のシステム。
【請求項９０】
前記弁を前記ポンプに対する所定の位置に解除可能に固定するよう動作可能なロックシステムを更に含む、請求項８８記載のシステム。
【請求項９１】
前記入口の近くに配置され、前記循環される流体を前記入口へ導くよう動作可能な逆止め弁を更に含む、請求項８８記載のシステム。
【請求項９２】
前記弁の近くに配置され、前記ポンプに対する所定の位置に前記弁の動きを制限するよう動作可能な複数の止め部を更に含む、請求項８８記載のシステム。
【請求項９３】
井戸内に配置され、出口と前記井戸から出口へポンプされるべき流体を受けるよう動作可能な入口とを有するポンプを与える段階と、
前記ポンプに結合され、前記流体を前記ポンプの出口から受けるよう動作可能な弁を与える段階と、
前記井戸内の流体レベルの低下に応じて前記出口から前記入口へ前記弁を介して前記流体を循環させる段階とを含む、
流体レベル制御されたポンプ方法。
【請求項９４】
前記ポンプユニットはプログレッシブ・ポンプを含む、請求項９３記載の方法。
【請求項９５】
前記循環させる段階は、前記弁の通路を前記ポンプのポートに合わせる段階を含み、前記ポートは前記出口の近くに配置される、請求項９３記載の方法。
【請求項９６】
前記弁を与える段階は浮動弁を与える段階を含み、前記浮動弁は前記井戸内の流体レベルの変化に応じて前記ポンプに対して動くよう動作可能である、請求項９３記載の方法。
【請求項９７】
前記部の近くに配置された複数の止め部を与える段階を更に含み、前記止め部は前記弁の動きを前記ポンプに対する所定の位置へ制限するよう動作可能である、請求項９６記載の方法。
【請求項９８】
前記循環させる段階は、流体潤滑なしでの前記ポンプの動作を実質的に防止するよう前記流体を循環させる段階を含む、請求項９３記載の方法。
【請求項９９】
前記弁を与える段階は、前記ポンプに摺動可能に結合される弁を与える段階を更に含み、
前記弁を前記ポンプに対する所定の位置に解除可能に固定するよう動作可能なロックシステムを与える段階を更に含む、請求項９３記載の方法。
【請求項１００】
井戸内に配置され、ポンプユニットの吸引端へ延びる通路を有するプログレッシブ・ポンプと、
前記通路に結合され、前記通路内の流体圧力を測定するよう動作可能な圧力センサと、
前記ポンプに結合され、前記流体圧力に応じて前記ポンプユニット内の流体潤滑を調整するよう動作可能な制御器とを含む、
流体制御されたポンプシステム。
【請求項１０１】
前記制御器は、前記ポンプの回転速度を調整することにより前記ポンプの流体潤滑を調整するよう動作可能である、請求項１００記載のシステム。
【請求項１０２】
前記通路内の流体圧力は前記井戸内の流体深さに対応する、請求項１００記載のシステム。
【請求項１０３】
前記ポンプは、
固定子と、
前記固定子の内側に配置され、前記井戸内の流体を第１の位置から第２の位置へポンプするよう前記固定子に対して回転するよう動作可能な回転子とを含み、
前記通路は前記回転子の内部通路を含む、請求項１００記載のシステム。
【請求項１０４】
前記制御器は、前記井戸内の流体の略一定の深さを維持するよう前記ポンプの流体速度を調整することにより前記ポンプの流体潤滑を調整するよう動作可能である、請求項１００記載のシステム。
【請求項１０５】
井戸内に配置され、ポンプの吸引端へ延びる通路を有するプログレッシブ・ポンプを与える段階と、
前記通路内の流体圧力を測定する段階と、
前記流体圧力に応じて前記ポンプの流体潤滑を自動的に調整する段階とを含む、
流体制御されたポンプ方法。
【請求項１０６】
前記流体潤滑を調整する段階は前記ポンプの回転速度を調整する段階を含む、請求項１０５記載の方法。
【請求項１０７】
前記通路内の流体圧力を測定する段階は、前記井戸内の流体深さを測定する段階を含む、請求項１０５記載の方法。
【請求項１０８】
前記ポンプは、固定子と、前記固定子の内側に配置され、前記井戸内の流体を第１の位置から第２の位置へポンプするよう前記固定子に対して回転するよう動作可能な回転子とを含み、
前記通路は前記回転子の内部通路を含む、請求項１０５記載の方法。
【請求項１０９】
前記流体潤滑を調整する段階は、前記井戸内の略一定の流体レベルを維持するよう前記ポンプの流速を調整する段階を含む、請求項１０５記載の方法。
【請求項１１０】
前記流体潤滑を調整する段階は、前記流体圧力の上昇に応じて前記ポンプの回転速度を上昇させる段階を含む、請求項１０５記載の方法。
【請求項１１１】
前記流体潤滑を調整する段階は、前記流体圧力の低下に応じて前記ポンプの回転速度を低下させる段階を含む、請求項１０５記載の方法。
【請求項１１２】
前記調整段階は、前記ポンプが流体潤滑なしで回転することを実質的に防止するよう前記ポンプの回転速度を調整する段階を含む、請求項１０５記載の方法。
【請求項１１３】
井戸内に配置され、ポンプユニットの吸引端に延びる通路を有するポンプユニットと、
前記井戸に関連付けられる流体圧力を測定するよう動作可能な圧力センサと、
前記ポンプユニットに結合され、前記流体圧力の低下に応じて前記ポンプユニットの流速を低下させるよう動作可能であり、前記流体圧力の上昇に応じて前記ポンプユニットの流速を上昇させるよう動作可能な制御器とを含む、
流体制御されたポンプシステム。
【請求項１１４】
前記ポンプユニットはプログレッシブ・ポンプを含む、請求項１１３記載のシステム。
【請求項１１５】
前記制御器は、前記プログレッシブ・ポンプの回転速度を調整することにより前記ポンプユニットの流速を調整するよう動作可能である、請求項１１４記載のシステム。
【請求項１１６】
前記制御器は、前記井戸内の流体の略一定の深さを維持するように前記ポンプユニットの流速を調整するよう動作可能である、請求項１１５記載のシステム。
【請求項１１７】
井戸内に配置され、ポンプユニットの吸引端から延びる通路を有するポンプユニットを与える段階と、
前記井戸に関連付けられる流体圧力を測定する段階と、
前記流体圧力の低下に応じて前記ポンプユニットの流速を低下させる段階と、
前記流体圧力の上昇に応じて前記ポンプユニットの流速を上昇させる段階と、
流体制御されたポンプ方法。
【請求項１１８】
前記ポンプユニットを与える段階はプログレッシブ・ポンプを与える段階を含む、請求項１１７記載の方法。
【請求項１１９】
前記流速は前記プログレッシブ・ポンプの回転速度を変化させることによって変化される、請求項１１８記載の方法。
【請求項１２０】
前記ポンプユニットの流速は前記井戸内の実質的に一定の流体レベルを維持するよう調整される、請求項１１７記載の方法。